(57)【要約】【課題】極めて商品価値の高い画期的な折り畳み椅子付きリュックサックを提供することを目的とする。【解決手段】一対の脚部半体６ＡをＸ状に交差枢着して形成した脚部６の対向する上端部間に座部７を形成するシート部材８を架設し、このシート部材８により脚部６の開脚幅を規制する構成とし、シート部材８に架設長調整機構９を設けて、脚部６の対向する上端部間に架設するシート部材８の架設長を調整自在に構成し、背もたれ部４を、脚部６の脚部半体６Ａの傾倒回動に伴い傾動移動するように構成し、シート部材８の架設長を長くすると、座部７の座面長が伸長し、座部７の座面高さ位置が下降し、且つ、背もたれ部４の傾倒角度が大きくなるように構成した折り畳み椅子付きリュックサック。【選択図】図１
2014198218.tif 000002
【特許請求の範囲】
【請求項１】
リュックサックに折り畳み椅子を付設し、前記リュックサックを背負うことで前記折り畳み椅子をこのリュックサックと共に背負い状態で携行し得るように構成した折り畳み椅子付きリュックサックにおいて、前記リュックサックは、背負い時に背中側となる背側面に前記折り畳み椅子の背もたれ部と連設する連設部を設けた構成とし、前記折り畳み椅子は、脚部と座部と前記背もたれ部とから成り、前記脚部は、一対の脚部半体をＸ状に交差枢着して折り畳み自在に構成すると共に、対向する上端部間に座部を形成するシート部材を架設して、このシート部材により開脚幅を規制する構成とし、前記シート部材は、前記脚部の対向する上端部間に架設する架設長を調整する架設長調整機構を具備した構成とし、前記背もたれ部は、前記脚部の一方の脚部半体に回動自在に設けて前記脚部に対して折り畳み重合自在に設けると共に、前記一方の脚部半体に当接係止する当接係止部を設けて、前記折り畳み椅子を使用状態にした際、この当接係止部が前記一方の脚部半体に当接係止し、前記背もたれ部に凭れ掛かっても該背もたれ部が後方に傾倒回動しないように構成し、且つ、この当接係止部が前記一方の脚部半体に当接係止した状態においては、前記一方の脚部半体の傾倒回動に伴いこの背もたれ部が傾倒するように構成して、前記シート部材の架設長を長くすると、前記脚部の開脚角度が大きくなり該脚部の上端部間が広がって座部の座面長が伸長すると共に、この脚部を構成する各脚部半体が傾倒方向に回動して傾倒角度が大きくなって前記座部の座面高さ位置が下降すると共に背もたれ部の傾倒角度が大きくなり、前記シート部材の架設長を短くすると、前記脚部の開脚角度小さくなり該脚部の上端部間が狭まって座部の座面長が短縮すると共に、この脚部を構成する各脚部半体が起立回動して傾倒角度が小さくなって前記座部の座面高さ位置が上昇すると共に背もたれ部の傾倒角度が小さくなるように構成したことを特徴とする折り畳み椅子付きリュックサック。
【請求項２】
前記架設長調整機構は、前記脚部の対向する上端部間に架設するシート部材の前記上端部間からはみ出す残余部の残余長を調整し得る構成とし、このシート部材の残余部の残余長の調整により前記架設長を調整するように構成したことを特徴とする請求項１記載の折り畳み椅子付きリュックサック。
【請求項３】
前記架設長調整機構は、前記シート部材の一端又は前記シート部材の一端を係止した前記脚部の上端部に設けた係止具と、前記シート部材の他端に設けた帯状又は紐状の長尺部材とから成り、前記長尺部材に対して前記係止具の係止位置を調整することにより前記シート部材の架設長を調整し得る構成としたことを特徴とする請求項１，２のいずれか１項に記載の折り畳み椅子付きリュックサック。
【請求項４】
前記リュックサックは、収納部内面に断熱材を設けて保温保冷機能を付与した構成としたことを特徴とする請求項１〜３のいずれか１項に記載の折り畳み椅子付きリュックサック。
【請求項５】
前記折り畳み椅子は、前記脚部を閉脚し側面視Ｉ字状に折り畳み、この側面視Ｉ字状に折り畳んだ脚部に対して前記背もたれ部を相対的に回動して重ね合わせて扁平状の折り畳み収納状態となるように構成し、この扁平状に折り畳んだ折り畳み椅子が前記リュックサックの前記背側面に添設状態になるように構成したことを特徴とする請求項１〜４のいずれか１項に記載の折り畳み椅子付きリュックサック。
【発明の詳細な説明】
【技術分野】
【０００１】
本発明は、折り畳み椅子付きリュックサックに関するものである。
【背景技術】
【０００２】
従来、リュックサックに折り畳み椅子を付設し、リュックサックを背負うことで折り畳み椅子をこのリュックサックと共に背負い状態で携行し得るように構成した様々な折り畳み椅子付きリュックサックが提案されている。
【０００３】
例えば、特許文献１に示す折り畳み椅子付きリュックサックは、リュックサックの背中に接触する側の面に椅子収納部を設け、この椅子収納部に折り畳み椅子を取り付けたものであり、移動時は折り畳み椅子を折り畳んで椅子収納部内に収納し、休憩時は、椅子収納部に取り付けた折り畳み椅子を椅子収納部に取り付けたままの状態で展開して座ることができるように構成されている。
【０００４】
また、この椅子収納部に取り付けられた折り畳み椅子は、背もたれフレームを備え、この背もたれフレームに凭れ掛かって座ることができるように構成している。
【先行技術文献】
【特許文献】
【０００５】
【特許文献１】特開２００１−１１２５４１号公報
【発明の概要】
【発明が解決しようとする課題】
【０００６】
しかしながら、上述したような従来の折り畳み椅子付きリュックサックの折り畳み椅子は、持ち運びが容易にできることを第一の目的とし、椅子としては、単に腰かけられれば良いという考えが優先されていた。
【０００７】
そのため、リュックサックに付設される折り畳み椅子は、座面が狭かったり、座面の高さを調整するような機能は無く、ましてや、安楽椅子やサマーベッドのように足を伸ばして仰向けに寝そべるようにして座ることができる形態になるようなものは無かった。
【０００８】
本発明は、上述のような現状に鑑み、折り畳み椅子付きリュックサックについて更なる研究開発を進め、極めて商品価値の高い画期的な折り畳み椅子付きリュックサックを提供することを目的とする。
【課題を解決するための手段】
【０００９】
添付図面を参照して本発明の要旨を説明する。
【００１０】
リュックサック１に折り畳み椅子２を付設し、前記リュックサック１を背負うことで前記折り畳み椅子２をこのリュックサック１と共に背負い状態で携行し得るように構成した折り畳み椅子付きリュックサックにおいて、前記リュックサック１は、背負い時に背中側となる背側面に前記折り畳み椅子２の背もたれ部４と連設する連設部５を設けた構成とし、前記折り畳み椅子２は、脚部６と座部７と前記背もたれ部４とから成り、前記脚部６は、一対の脚部半体６ＡをＸ状に交差枢着して折り畳み自在に構成すると共に、対向する上端部間に座部７を形成するシート部材８を架設して、このシート部材８により開脚幅を規制する構成とし、前記シート部材８は、前記脚部６の対向する上端部間に架設する架設長を調整する架設長調整機構９を具備した構成とし、前記背もたれ部４は、前記脚部６の一方の脚部半体６Ａに回動自在に設けて前記脚部６に対して折り畳み重合自在に設けると共に、前記一方の脚部半体６Ａに当接係止する当接係止部10を設けて、前記折り畳み椅子２を使用状態にした際、この当接係止部10が前記一方の脚部半体６Ａに当接係止し、前記背もたれ部４に凭れ掛かっても該背もたれ部４が後方に傾倒回動しないように構成し、且つ、この当接係止部10が前記一方の脚部半体６Ａに当接係止した状態においては、前記一方の脚部半体６Ａの傾倒回動に伴いこの背もたれ部４が傾倒するように構成して、前記シート部材８の架設長を長くすると、前記脚部６の開脚角度が大きくなり該脚部６の上端部間が広がって座部７の座面長が伸長すると共に、この脚部６を構成する各脚部半体６Ａが傾倒方向に回動して傾倒角度が大きくなって前記座部７の座面高さ位置が下降すると共に背もたれ部４の傾倒角度が大きくなり、前記シート部材８の架設長を短くすると、前記脚部６の開脚角度小さくなり該脚部６の上端部間が狭まって座部７の座面長が短縮すると共に、この脚部６を構成する各脚部半体６Ａが起立回動して傾倒角度が小さくなって前記座部７の座面高さ位置が上昇すると共に背もたれ部４の傾倒角度が小さくなるように構成したことを特徴とする折り畳み椅子付きリュックサックに係るものである。
【００１１】
また、前記架設長調整機構９は、前記脚部６の対向する上端部間に架設するシート部材８の前記上端部間からはみ出す残余部11の残余長を調整し得る構成とし、このシート部材８の残余部11の残余長の調整により前記架設長を調整するように構成したことを特徴とする請求項１記載の折り畳み椅子付きリュックサックに係るものである。
【００１２】
また、前記架設長調整機構９は、前記シート部材８の一端又は前記シート部材８の一端を係止した前記脚部６の上端部に設けた係止具９Ａと、前記シート部材８の他端に設けた帯状又は紐状の長尺部材９Ｂとから成り、前記長尺部材９Ｂに対して前記係止具９Ａの係止位置を調整することにより前記シート部材８の架設長を調整し得る構成としたことを特徴とする請求項１，２のいずれか１項に記載の折り畳み椅子付きリュックサックに係るものである。
【００１３】
また、前記リュックサック１は、収納部１Ａ内面に断熱材を設けて保温保冷機能を付与した構成としたことを特徴とする請求項１〜３のいずれか１項に記載の折り畳み椅子付きリュックサックに係るものである。
【００１４】
また、前記折り畳み椅子２は、前記脚部６を閉脚し側面視Ｉ字状に折り畳み、この側面視Ｉ字状に折り畳んだ脚部６に対して前記背もたれ部４を相対的に回動して重ね合わせて扁平状の折り畳み収納状態となるように構成し、この扁平状に折り畳んだ折り畳み椅子２が前記リュックサック１の前記背側面に添設状態になるように構成したことを特徴とする請求項１〜４のいずれか１項に記載の折り畳み椅子付きリュックサックに係るものである。
【発明の効果】
【００１５】
本発明は上述のように構成したから、椅子に座る際に背もたれ部に凭れ掛かって座ることができるので、長時間座っていても疲れず、また、この背もたれ部の傾倒角度を自在に調整できるので、背もたれ部をより傾倒状態にすることによりリラックスした状態で座ることができ、しかも、この背もたれ部を傾倒させて傾倒角度を大きくすると、座部の座面が伸長して座部面積が広がり、更に、座部の座面高さが低くなるので、安楽椅子やサマーベッドのように足を伸ばして仰向けに寝そべるようにして座ることができ、より一層リラックスした状態で座ることができる実用性に優れた極めて商品価値の高い画期的な折り畳み椅子付きリュックサックとなる。
【００１６】
また、請求項２，３記載の発明においては、脚部の対向する上端部間に架設するシート部材の架設長を自在に調整し得る構成を容易に設計実現可能となる画期的な折り畳み椅子付きリュックサックとなる。
【００１７】
また、請求項４記載の発明においては、折り畳み椅子に座って背もたれ部に凭れ掛かった際、リュックサック内に収納した収納物の温度が折り畳み椅子に座った人に伝わらず、よって、例えば、リュックサック内に冷たいものを収納した場合でも、この冷たい収納物の冷たさが折り畳み椅子に座った人に伝わらず、冷たい思いをせず快適に座ることができる実用性に優れた折り畳み椅子付きリュックサックとなる。
【００１８】
また、請求項５記載の発明においては、極めて簡易な操作で容易に折り畳み椅子を折り畳み収納することができる実用性に優れた折り畳み椅子付きリュックサックとなる。
【図面の簡単な説明】
【００１９】
【図１】本実施例を示す側面図である。
【図２】本実施例の連設部を示す説明斜視図である。
【図３】本実施例を示す説明斜視図である。
【図４】本実施例の折り畳み椅子を収納した状態を示す説明斜視図である。
【図５】本実施例の架設長調整機構を示す説明斜視図である。
【図６】本実施例の折り畳み椅子を展開した状態を示す斜視図である。
【図７】本実施例の折り畳み椅子を展開した状態を示す側面図である。
【図８】本実施例のシート部材の架設長を調整した際の折り畳み椅子の状態を示す説明側面図である。
【図９】本実施例の折り畳み椅子の収納手順を示す説明側面図である。
【図１０】本実施例の折り畳み椅子の収納手順を示す説明側面図である。
【発明を実施するための形態】
【００２０】
好適と考える本発明の実施形態を、図面に基づいて本発明の作用を示して簡単に説明する。
【００２１】
架設長調整機構９により脚部６の対向する上端部間に架設するシート部材８の架設長を長くすると、脚部６の開脚幅の規制が緩和され、脚部６の開脚幅、即ち脚部６の対向する上端部間の間隔が広がると共に、脚部６を構成する一対の脚部６が夫々傾倒回動して、脚部半体６Ａの傾倒角度が大きくなる。
【００２２】
この脚部６の対向する上端部間の間隔が広がることにより、脚部６の上端部間に架設したシート部材８によって形成される座部７の座面長が伸長して座面が前後方向に広がる。
【００２３】
また、脚部６を構成する一対の脚部半体６Ａが夫々傾倒回動して、この脚部半体６Ａの傾倒角度が大きくなることで、各脚部半体６Ａの上端部高さ位置が下がり、これにより、座部７の座面高さ位置が下降し、更に、脚部半体６Ａと同様に、この脚部半体６Ａに当接係止部10を当接係止した背もたれ部４の傾倒角度が大きくなり、背もたれ部４は後方に向かってより大きく傾倒した状態となる。
【００２４】
また、架設長調整機構９により脚部６の対向する上端部間に架設するシート部材８の架設長を短くすると、脚部６の開脚幅の規制が強化され、脚部６の開脚幅、即ち脚部６の対向する上端部間の間隔が狭まると共に、脚部６を構成する一対の脚部６が夫々起立回動して、脚部半体６Ａの傾倒角度が小さくなる。
【００２５】
この脚部６の対向する上端部間の間隔が狭まることにより、脚部６の上端部間に架設したシート部材８によって形成される座部７の座面長が短縮して座面が前後方向に狭まる。
【００２６】
また、脚部６を構成する一対の脚部半体６Ａが夫々起立回動して、この脚部半体６Ａの傾倒角度が小さくなることで、各脚部半体６Ａの上端部高さ位置が上がり、これにより、座部７の座面高さ位置が上昇し、更に、脚部半体６Ａと同様に、この脚部半体６Ａに当接係止部10を当接係止した背もたれ部４の傾倒角度が小さくなり、背もたれ部４はより直立状態に近づく状態となる。
【００２７】
このように、本発明は、架設長調整機構９により脚部６の対向する上端部間に架設するシート部材８の架設長を調整することで、折り畳み椅子２の座面の広さ及び座面の高さ位置並びに背もたれ部４の傾倒角度を自在に調整することができ、これによって、このリュックサック１に付設する折り畳み椅子２を安楽椅子やサマーベッドのように足を伸ばして仰向けに寝そべるように座ることができる状態にすることもでき、リラックスした状態で折り畳み椅子２に座ることができる実用性に優れた極めて商品価値の高い画期的な折り畳み椅子付きリュックサックとなる。
【実施例】
【００２８】
本発明の具体的な実施例について図面に基づいて説明する。
【００２９】
本実施例は、リュックサック１に折り畳み椅子２を付設し、リュックサック１を背負うことで折り畳み椅子２をこのリュックサック１と共に背負い状態で携行し得るように構成した折り畳み椅子付きリュックサックである。
【００３０】
具体的には、リュックサック１は、背負い時に背中側となる背側面に折り畳み椅子２の背もたれ部４と連設する連設部５を設けた構成とし、折り畳み椅子２は、脚部６と座部７と前記背もたれ部４とから成り、脚部６は、一対の脚部半体６ＡをＸ状に交差枢着して折り畳み自在に構成すると共に、対向する上端部間に座部７を形成するシート部材８を架設して、このシート部材８により開脚幅を規制する構成とし、シート部材８は、脚部６の対向する上端部間に架設する架設長を調整する架設長調整機構９を具備した構成とし、背もたれ部４は、脚部６の一方の脚部半体６Ａに回動自在に設けて脚部６に対して折り畳み重合自在に設けると共に、一方の脚部半体６Ａに当接係止する当接係止部10を設けて、折り畳み椅子２を使用状態にした際、この当接係止部10が一方の脚部半体６Ａに当接係止し、背もたれ部４に凭れ掛かってもこの背もたれ部４が後方に傾倒回動しないように構成し、且つ、この当接係止部10が一方の脚部半体６Ａに当接係止した状態においては、一方の脚部半体６Ａの傾倒回動に伴いこの背もたれ部４が傾倒するように構成して、シート部材８の架設長を長くすると、脚部６の開脚角度が大きくなりこの脚部６の上端部間が広がって座部７の座面長が伸長すると共に、この脚部６を構成する各脚部半体６Ａが傾倒方向に回動して傾倒角度が大きくなって座部７の座面高さ位置が下降すると共に背もたれ部４の傾倒角度が大きくなり、シート部材８の架設長を短くすると、脚部６の開脚角度小さくなりこの脚部６の上端部間が狭まって座部７の座面長が短縮すると共に、この脚部６を構成する各脚部半体６Ａが起立回動して傾倒角度が小さくなって座部７の座面高さ位置が上昇すると共に背もたれ部４の傾倒角度が小さくなるように構成したものである。
【００３１】
以下、本実施例に係る各構成要件の具体的構成について詳細に説明する。
【００３２】
本実施例のリュックサック１は、図１に示すように、荷物を収納する袋状の収納部１Ａと二本の肩掛けベルト１Ｂとから成る構成としている。
【００３３】
袋状の収納部１Ａは、内面に断熱材を設けて保温保冷機能を付与した構成としている。
【００３４】
また、背負った際の背中側となる袋状収納部１Ａの背側面に折り畳み椅子２の背もたれ部４と連設する連設部５を設けた構成としている。
【００３５】
この連設部５は、図２に示すように、折り畳み椅子２の背もたれ部４を挿入配設し得る袋体状に形成すると共に、袋体内面に折り畳み椅子２の背もたれ部４に設けた係止部12と係合係止する係止受部13を設けた構成としている。
【００３６】
具体的には、本実施例では、折り畳み椅子２の背もたれ部４に係止部12としてのスナップボタンの凸型ボタン部12を設け、リュックサック１の連設部５に係止受部13としてのスナップボタンの凹型ボタン部13を設けて、スナップボタンによる係止構造を採用して、リュックサック１に対して折り畳み椅子２を着脱自在に設けた構成としている。
【００３７】
即ち、本実施例は、図３に示すように、この袋体状に形成した連設部５に折り畳み椅子２の背もたれ部４を挿入配設し、この挿入配設した折り畳み椅子２の背もたれ部４に設けた凸型ボタン部12を連設部５内面に設けた凹型ボタン部13に嵌めることで、折り畳み椅子２の背もたれ部４とリュックサック１の連設部５とが連設してリュックサック１と折り畳み椅子２とが一体化する構成とし、凸型ボタン部12を凹型ボタン部13から外すことで、折り畳み椅子２の背もたれ部４とリュックサック１の連設部５との連設状態が解除されリュックサック１と折り畳み椅子２とを分離することができる構成としている。
【００３８】
また、本実施例の連設部５は、リュックサック１を背負った際の背側となる外面側部材にクッション性を付与した構成としている。
【００３９】
即ち、本実施例は、折り畳み椅子２の背もたれ部４を挿入配設することにより、この連設部５の外面側部材が折り畳み椅子２の背もたれ部４の背もたれ面となる構成としており、この背もたれ面となる連設部５の外面側部材にクッション性を付与することで、背もたれ部４に凭れ掛かった際に背もたれ部４の硬さが身体に伝わらず快適に座ることができるように構成している。
【００４０】
また更に、本実施例のリュックサック１は、図１に示すように、折り畳み椅子２を折り畳み収納した際、折り畳み椅子２の脚部６の下端部（地面に接地する接地部）を覆う脚部被覆部14を設けた構成とし、折り畳み収納した折り畳み椅子２の脚部６をこの脚部被覆部14で覆うことで、脚部６に付着した汚れが衣服に付着しないように構成している。
【００４１】
具体的には、脚部被覆部14は、図４に示すように、シート状に形成し袋状収納部１Ａの背側面の上部に一端（上端部）を連設し他端（下端部）を自由端状態に設けて、袋状収納部１Ａの上方から折り畳み収納した折り畳み椅子２を被覆するように垂下させ、自由端の下端部はばたつかないよう面ファスナー等の係止部材15で係止する構成としている。
【００４２】
また、折り畳み椅子２は、前述したように脚部６と座部７と背もたれ部４とから成る構成としている。
【００４３】
本実施例の脚部６は、一対の脚部半体６ＡをＸ状に交差枢着して開き操作により側面視Ｘ状に開脚し、閉じ操作により側面視Ｉ字状に閉脚する折り畳み自在な構成としている。
【００４４】
本実施例の脚部半体６Ａは、一対の縦杆を間隔をおいて対向状態に配設し、この対向配設した一対の縦杆の上端部及び下端部の夫々に横杆を架設して平面視四角（長方形）環形状に形成した構成としている。
【００４５】
また、脚部６の対向する上端部間、即ち、四角環状に形成した脚部半体６Ａの夫々の上端部側の横杆間（以下、上部横杆間と称す）に座部７を形成するシート部材８を架設し、この各脚部半体６Ａの上部横杆間に架設したシート部材８によりＸ状に開脚する開脚幅を規制する構成としている。
【００４６】
即ち、脚部６をＸ状に開脚すると各脚部半体６Ａの上部横杆間が広がり、この上部横杆間に架設したシート部材８が弛み状態から緊張状態となり、このシート部材８が緊張状態となることで各脚部半体６Ａの上部横杆間の広がりを規制する構成としている。
【００４７】
また更に、本実施例の脚部６は、脚部半体６Ａ、具体的には、折り畳んでリュックサック１の背側面に添設状態に収納した状態とした際に使用者の背中に当接する脚部半体６Ａに背当て面16を設けた構成としている。
【００４８】
また、この脚部６の開脚幅を規制し、座部７を形成するシート部材８は、脚部６の対向する上端部間に架設する架設長を調整する架設長調整機構９を具備した構成としている。
【００４９】
具体的には、架設長調整機構９は、脚部６の各脚部半体６Ａの上部横杆間に架設するシート部材８の上部横杆間からはみ出す残余部11の残余長を調整し得る構成とし、このシート部材８の残余部11の残余長の調整により、各脚部半体６Ａの上部横杆間に架設するシート部材８の架設長を調整するように構成している。
【００５０】
即ち、本実施例は、シート部材８の一側端部を、脚部６を構成する脚部半体６Ａの一方の上部横杆に係止し、他側を脚部半体６Ａの他方の上部横杆に巻き回して裏面側に折り返し状態に設け、この裏面側に折り返した残余部11に架設長調整機構９を設けて、この架設長調整機構９により残余部11の残余長を自在に調整し得る構成としている。
【００５１】
より具体的には、架設長調整機構９は、シート部材８の一端を係止した脚部６の上部横杆に設けた係止具９Ａと、シート部材８の他端に設けた帯状又は紐状の長尺部材９Ｂとから成り、長尺部材９Ｂに対して係止具９Ａの係止位置を調整することによりシート部材８の架設長を調整し得る構成としている。
【００５２】
更に詳しく説明すると、本実施例では、この架設長調整機構９を図５に示すようにベルト様に構成し、脚部６の脚部半体６Ａに設けた係止具９Ａに挿通した長尺部材９Ｂを係止具９Ａで所望の位置を挟み係止することにより長尺部材９Ａの引き出し長を調整する構成としている。
【００５３】
即ち、本実施例は、係止具９Ａに挿通した長尺部材９Ｂの先端側の引き出し量を多くすることでシート部材８の残余部11が多くなり脚部６の対向する上端部間に架設するシート部材８の架設長が短くなり、係止具９Ａに挿通した長尺部材９Ｂの先端側の引き出し量を少なくすることでシート部材８の残余部11が少なくなり脚部６の対向する上端部間に架設するシート部材８の架設長が長くなる構成としている。
【００５４】
また、背もたれ部４は、金属製パイプ部材を曲成して下方に開口するコ字状に形成し、左右の夫々の縦杆部を、脚部６を構成する脚部半体６Ａの内、折り畳み椅子２を使用状態に展開した際、後方に傾倒状態となる方の脚部半体６Ａに枢着して脚部６に対して回動自在に設けた構成としている。
【００５５】
また、背もたれ部４は、左右の縦杆部の下端部に当接係止部10を設け、この当接係止部10が脚部６（脚部半体６Ａ）に当接係止することにより後方への傾倒回動を不能とする構成としている。
【００５６】
具体的には、図６に示すように、背もたれ部４の左右の夫々の縦杆部の下端部を内方に向けて折曲し、この折曲し内方に突出した部分を当接係止部10とし、本実施例は、この当接係止部10が背もたれ部４を設けた脚部半体６Ａの外側に位置し脚部半体６Ａの外側面に当接係止するように構成し、この当接係止部10が脚部６（脚部半体６Ａ）に当接した状態においては、後方には傾倒回動不能となるが、前方には傾倒回動する構成としている。
【００５７】
上述のように構成した本実施例の作用・効果について以下に説明する。
【００５８】
本実施例は、リュックサック１の袋状収納部１Ａの背側面に設けた連設部５に折り畳み椅子２の背もたれ部４を連設する構成としたので、折り畳み椅子２を使用状態に展開した際、図７に示すように、リュックサック１は折り畳み椅子２の背もたれ部４の背面側に添設状態になるので、リュックサック１を直接地面に置かなくても良く、よって、雨上がりなどで地面が濡れている場合などでもリュックサック１が汚れず、また、椅子に座ったままリュックサック１内の荷物を出し入れすることができる。
【００５９】
また、本実施例は、この背もたれ部４に添設状態となるリュックサック１に断熱材を使用して保温保冷機能を付与した構成としたので、折り畳み椅子２に座って背もたれ部４に凭れ掛かった際、リュックサック１内（袋状収納部１Ａ内）に収納した収納物の温度が折り畳み椅子２に座った人に伝わらず、よって、例えば、袋状収納部１Ａ内に冷たいものを収納した場合でも、この冷たい収納物の冷たさが折り畳み椅子２に座った人に伝わらず、冷たい思いをせず快適に座ることができる。
【００６０】
また更に、本実施例は、架設長調整機構９により脚部６の対向する上端部間に架設するシート部材８の架設長を長くすると、脚部６の開脚幅の規制が緩和され、脚部６の開脚幅、即ち脚部６の対向する上端部間の間隔が広がると共に、脚部６を構成する一対の脚部６が夫々傾倒回動して、脚部半体６Ａの傾倒角度が大きくなる。
【００６１】
具体的には、脚部６の対向する上端部間、即ち、各脚部半体６Ａの上部横杆間の間隔が広がることにより、各脚部半体６Ａの上部横杆間に架設したシート部材８によって形成される座部７の座面長が伸長して座面が前後方向に広がる。
【００６２】
また、脚部６を構成する一対の脚部半体６Ａが夫々傾倒回動して、この脚部半体６Ａの傾倒角度が大きくなることで、各脚部半体６Ａの上端部高さ位置が下がり、これにより、座部７の座面高さ位置が下降し、更に、脚部半体６Ａと同様に、この脚部半体６Ａに当接係止部10を当接係止した背もたれ部４の傾倒角度が大きくなり、背もたれ部４は後方に向かってより大きく傾倒した状態となる。
【００６３】
また、架設長調整機構９により脚部６の対向する上端部間に架設するシート部材８の架設長を短くすると、脚部６の開脚幅の規制が強化され、脚部６の開脚幅、即ち脚部６の対向する上端部間の間隔が狭まると共に、脚部６を構成する一対の脚部６が夫々起立回動して、脚部半体６Ａの傾倒角度が小さくなる。
【００６４】
具体的には、脚部６の対向する上端部間、即ち、各脚部半体６Ａの上部横杆間の間隔が狭まることにより、各脚部半体６Ａの上部横杆間に架設したシート部材８によって形成される座部７の座面長が短縮して座面が前後方向に狭まる。
【００６５】
また、脚部６を構成する一対の脚部半体６Ａが夫々起立回動して、この脚部半体６Ａの傾倒角度が小さくなることで、各脚部半体６Ａの上端部高さ位置が上がり、これにより、座部７の座面高さ位置が上昇し、更に、脚部半体６Ａと同様に、この脚部半体６Ａに当接係止部10を当接係止した背もたれ部４の傾倒角度が小さくなり、背もたれ部４はより直立状態に近づく状態となる。
【００６６】
このように、本実施例は、架設長調整機構９により脚部６の対向する上端部間に架設するシート部材８の架設長を調整することで、図８に示すように、折り畳み椅子２の座部７の座面長（座面広さ）及び座面の高さ位置並びに背もたれ部４の傾倒角度を自在に調整することができ、これによって、このリュックサック１に付設する折り畳み椅子２を安楽椅子やサマーベッドのように足を伸ばして仰向けに寝そべるように座ることができる状態にすることもでき、リラックスした状態で折り畳み椅子２に座ることができる実用性に優れた折り畳み椅子付きリュックサックとなる。
【００６７】
また、リュックサック１を背負う為に折り畳み椅子２をしまう際は、図９に示すように、脚部６の一方の脚部半体６Ａを他方側に引き寄せるように折り畳んで脚部６を側面視Ｉ字状にし、図１０に示すように、このＩ字状に折り畳んだ脚部６の下端側が上方に位置するように持ち上げ回動してリュックサック１の背側面に添設状態にする。
【００６８】
これにより、折り畳み椅子２の脚部６に設けた背当て面16がリュックサック１の背側面に位置し、リュックサック１を背負った際、折り畳み椅子２の硬い金属製パイプの部分が身体に当たらず、この背当て面16が当接するので、リュックサック１を背負った際、身体が痛くならず、長時間背負うことができる。
【００６９】
更に、図４に示すように、リュックサック１に設けた脚部被覆部14を折り畳み椅子２に被覆することで、脚部６に付着した汚れが衣服などに付着せず、よって、一々、背負う際に、脚部６の汚れを拭き取る作業が不要となる。
【００７０】
このように、本実施例は、リュックサック１、折り畳み椅子２に従来にない様々な機能が付与され、極めて商品価値の高い実用性に優れた画期的な折り畳み椅子付きリュックサックとなる。
【００７１】
尚、本発明は、本実施例に限られるものではなく、各構成要件の具体的構成は適宜設計し得るものである。
【符号の説明】
【００７２】
１  リュックサック
１Ａ  収納部
２  折り畳み椅子
４  背もたれ部
５  連設部
６  脚部
６Ａ  脚部半体
７  座部
８  シート部材
９  架設長調整機構
９Ａ  係止具
９Ｂ  長尺部材
10  当接係止部
11  残余部
【図１】
2014198218.tif 000003
【図２】
2014198218.tif 000004
【図３】
2014198218.tif 000005
【図４】
2014198218.tif 000006
【図５】
2014198218.tif 000007
【図６】
2014198218.tif 000008
【図７】
2014198218.tif 000009
【図８】
2014198218.tif 000010
【図９】
2014198218.tif 000011
【図１０】
2014198218.tif 000012